(57)【要約】【課題】内蔵部品を有するブロー成形品の製造において、設備費用を節減し、スペースを節減するブロー成形をすることができるブロー成形装置及び方法を提供する。【解決手段】ブロー成形装置は、ダイコア６０とブロー成形金型２０とパリソン挟持装置３０と内蔵部品保持装置４０を有する。内蔵部品保持装置４０は、内蔵部品気密ガイド筒４２と内蔵部品保持棒４１と内蔵部品下ガイド板４３を有する。内蔵部品気密ガイド筒４２は、上下方向に伸縮可能な蛇腹部４４が形成され、パリソン８をプリブローした後に、蛇腹部４４を圧縮するとともに、内蔵部品保持棒４１をスライドさせて、内蔵部品気密ガイド筒４２内から内蔵部品１０をパリソン８内に位置させて、ブロー成形金型２０を閉じてブローをする。【選択図】図７
2015047863.tif 000002
【特許請求の範囲】
【請求項１】
内部に内蔵部品が取付けられるブロー成形品を成形するブロー成形装置において、
該ブロー成形装置は、パリソンを押出するダイコアと、ブロー成形品の外壁を成形するブロー成形金型と、パリソンの下端を挟持するパリソン挟持装置と、ブロー成形前に上記内蔵部品を保持する内蔵部品保持装置を有し、
上記ブロー成形金型は、パーティングラインで２つに分割して形成された型を有し、開閉面に上記ブロー成形品を形成するキャビティーが形成され、上記キャビティーの内面に進退自在にスライドコアを設け、該スライドコアで上記内蔵部品とパリソンを挟持して上記キャビティーでブロー成形品の外壁を成形し、
上記ブロー成形金型の下方に、上記パリソンの下端を挟持するパリソン挟持装置が設けられ、
上記内蔵部品保持装置は、上記内蔵部品を内部に保持可能な筒状の内蔵部品気密ガイド筒と、該内蔵部品気密ガイド筒内部に上記内蔵部品を保持して上下方向にスライド可能な内蔵部品保持棒と、該内蔵部品保持棒がスライド可能な孔を有し上記内蔵部品気密ガイド筒の下端を塞ぐ内蔵部品下ガイド板を有し、上記内蔵部品気密ガイド筒は、上部に上記パリソンの下端が当接し、上記パリソン挟持装置により上記パリソンの下端を保持するパリソン保持部を有し、該パリソン保持部と上記内蔵部品下ガイド板が取付けられる部分との間の上記内蔵部品気密ガイド筒に上下方向に伸縮可能な蛇腹部が形成され、
上記ブロー成形金型が開いたときに、上記パリソンの下端に内蔵部品気密ガイド筒の上端を挿入した後に、上記内蔵部品気密ガイド筒の上記パリソン保持部と、上記パリソン外側挟持板で上記パリソンの下端を挟持し、上記パリソン外側挟持板で上記パリソンを気密に保持し、上記パリソンを膨らませてプリブローするように構成し、
上記パリソンをプリブローした後に、上記内蔵部品気密ガイド筒の蛇腹部を圧縮するとともに、上記内蔵部品保持棒をスライドさせて、上記内蔵部品気密ガイド筒内から上記内蔵部品を上記パリソン内に位置させて、上記キャビティーに対向する位置に上記内蔵部品を保持し、上記ブロー成形金型が閉じたときに、上記パリソンの内部に上記内蔵部品が位置し、上記パリソンと上記内蔵部品が上記スライドコアで挟持された後に、上記内蔵部品保持棒が上記ブロー成形金型から抜け出るように進退自在に構成し、上記ブロー成形金型が完全に閉じて上記パリソンの上部と下部が上記ブロー成形金型の上端と下端で挟持され、ブローするように構成されたブロー成形装置。
【請求項２】
上記内蔵部品気密ガイド筒の蛇腹部を圧縮して、上記キャビティーに対向する位置に上記内蔵部品を保持するときに、上記内蔵部品気密ガイド筒内の空気を上記パリソン内に送り、上記パリソンをさらに膨らませる請求項１に記載のブロー成形装置。
【請求項３】
内部に内蔵部品が取付けられるブロー成形品を成形するブロー成形方法において、
該ブロー成形方法は、パリソンを押出するダイコアと、ブロー成形品の外壁を成形するブロー成形金型と、パリソンの下端を挟持するパリソン挟持装置と、ブロー成形前に上記内蔵部品を保持する内蔵部品保持装置を使用し、
上記ブロー成形金型は、パーティングラインで２つに分割して形成された型を有し、開閉面に上記ブロー成形品を形成するキャビティーが形成され、該キャビティーの内面に進退自在にスライドコアを設け、
上記内蔵部品保持装置は、上記内蔵部品を内部に保持可能な筒状の内蔵部品気密ガイド筒と、該内蔵部品気密ガイド筒内部に上記内蔵部品を保持して上下方向にスライド可能な内蔵部品保持棒と、該内蔵部品保持棒がスライド可能な孔を有し上記内蔵部品気密ガイド筒の下端を塞ぐ内蔵部品下ガイド板を有し、
上記内蔵部品気密ガイド筒は、上部に上記パリソンの下端が当接し、上記パリソン挟持装置により上記パリソンの下端を保持するパリソン保持部を有し、該パリソン保持部と上記内蔵部品下ガイド板が取付けられる部分との間の上記内蔵部品気密ガイド筒に上下方向に伸縮可能な蛇腹部が形成され、
上記ブロー成形金型を上記パーティングラインで開き、上記キャビティーが開かれた部分に上記ダイコアから上記パリソンを垂下し、上記パリソンの下端に上記内蔵部品気密ガイド筒の上記パリソン保持部を挿入し、上記内蔵部品気密ガイド筒のパリソン保持部と、上記パリソン挟持装置で上記パリソンの下端を挟持し、上記パリソン内に気体を挿入して上記パリソンを膨らませてプリブローを行った後に、上記内蔵部品気密ガイド筒の蛇腹部を圧縮するとともに、上記内蔵部品保持棒をスライドさせて、上記内蔵部品気密ガイド筒内から上記内蔵部品を上記パリソン内に位置させて上記キャビティーに対向する位置に上記内蔵部品を保持した後に、上記ブロー成形金型が閉じて、上記パリソンと上記内蔵部品が上記スライドコアで挟持された後に、上記内蔵部品保持棒が上記ブロー成形金型から抜け出て、上記ブロー成形金型を完全に閉じて、上記パリソンの上部と下部を上記ブロー成形金型の上端と下端で挟持された後に、上記パリソン内に気体を吹き込みブロー成形品を成形するブロー成形方法。
【請求項４】
上記内蔵部品気密ガイド筒の蛇腹部を圧縮して、上記キャビティーに対向する位置に上記内蔵部品を保持するときに、上記内蔵部品気密ガイド筒内の空気を上記パリソン内に送り、上記パリソンをさらに膨らませる請求項３に記載のブロー成形方法。
【発明の詳細な説明】
【技術分野】
【０００１】
本発明は、熱可塑性合成樹脂製の内蔵部品を内部に有するブロー成形品を成形するブロー成形装置及びブロー成形方法に関するものである。
【背景技術】
【０００２】
従来、中空状のブロー成形品、例えば、自動車用等の燃料タンクの構造としては、金属製のものが用いられていたが、近年、車両の軽量化や、錆が発生しないこと、所望の形状に成形しやすいことなどによって中空状の熱可塑性合成樹脂製のものが用いられるようになってきた。
【０００３】
熱可塑性合成樹脂製の中空状の製品の製造は、中空体を成形することの容易性からブロー成形方法が多く用いられてきた。ブロー成形方法では、溶融した熱可塑性合成樹脂部材のパリソンを円筒状にして上から押出して、そのパリソンを金型で挟みパリソン中に空気を吹き込み、中空体を製造していた。
【０００４】
一方、ブロー成形方法においても、ブロー成形品、例えば、燃料タンクの内部にバルブ類や燃料の流動音を抑制するためのバッフルプレート等の内蔵部品を設けることが求められている場合がある。
そこで、ブロー成形品の内部に内蔵部品を設ける場合には、図１１に示すような製造装置を使用している（例えば、特許文献１及び２参照。）。内蔵部品１１０を内蔵部品保持棒１４１でブロー成形金型１２０のキャビティー内に保持して、パリソン８を下降させて、その後、スライドコア１２６で内蔵部品１１０を挟持して、ブロー成形金型１２０を閉じるとともに、ピンチ板１３５でパリソン８を挟持して、ブロー成形品を成形している。
【０００５】
しかし、この場合において、内蔵部品１１０が大きくなると、図１２に示すように、内蔵部品保持棒２４１に保持された内蔵部品２１０をブロー成形金型２２０で成形するときに、パリソン８内に内蔵部品保持棒２４１で内蔵部品２１０を保持して、内蔵部品保持棒２４１をスライドさせ、内蔵部品２１０を挿入し、その後スライドコア２２６で内蔵部品２１０を挟持しているが、内蔵部品２１０を挿入するときに、内蔵部品２１０がパリソン８の内壁に接触しないようにする必要がある。
【０００６】
そのため、図１３に示すように、ダイコア３６０から押出されたパリソン８の下端をブロー成形金型３２０の下方で、パリソンエキスパンダ３３１により開いて、パリソン８の下端を内蔵部品保持装置３４０の先端とパリソン挟持装置３３０により保持するものがある。内蔵部品保持装置３４０の内蔵部品気密ガイド筒３４２の中に内蔵部品３１０が保持され、内蔵部品下ガイド板３４３で密閉状態に保持される。
【０００７】
この場合には、図１４に示すように、内蔵部品保持装置３４０の先端でパリソン８を拡張して保持したまま、密閉状態で、プレブローでパリソン８を膨らませて、内蔵部品保持棒３４１をスライドさせて、内蔵部品３１０をパリソン８内に挿入することができる。その後、スライドコア３２６により内蔵部品３１０を保持する。
【０００８】
しかしながら、図１３に示すように、内蔵部品３１０を保持した内蔵部品保持装置４０をブロー成形金型３２０の下方に位置させるとともに、内蔵部品保持棒３４１を上下方向にスライドさせるため、ブロー成形金型３２０の下方に、シャフトの長い内蔵部品保持棒３４１を収納する内蔵ピット３７０を設ける必要があるが、スペースを必要として、コストアップとなる。
【先行技術文献】
【特許文献】
【０００９】
【特許文献１】特開平９−１７４６７０号公報
【特許文献２】特開平８−７２１２９号公報
【発明の概要】
【発明が解決しようとする課題】
【００１０】
そのため、本発明は、内蔵部品を有するブロー成形品の製造において、設備費用を節減し、スペースを節減するブロー成形をすることができるブロー成形装置及び方法を提供することを課題とする。
【課題を解決するための手段】
【００１１】
上記課題を解決するための請求項１の本発明は、内部に内蔵部品が取付けられるブロー成形品を成形するブロー成形装置において、
ブロー成形装置は、パリソンを押出するダイコアと、ブロー成形品の外壁を成形するブロー成形金型と、パリソンの下端を挟持するパリソン挟持装置と、ブロー成形前に内蔵部品を保持する内蔵部品保持装置を有し、
ブロー成形金型は、パーティングラインで２つに分割して形成された型を有し、開閉面にブロー成形品を形成するキャビティーが形成され、キャビティーの内面に進退自在にスライドコアを設け、スライドコアで内蔵部品とパリソンを挟持してキャビティーでブロー成形品の外壁を成形し、
ブロー成形金型の下方に、パリソンの下端を挟持するパリソン挟持装置が設けられ、
内蔵部品保持装置は、内蔵部品を内部に保持可能な筒状の内蔵部品気密ガイド筒と、内蔵部品気密ガイド筒内部に内蔵部品を保持して上下方向にスライド可能な内蔵部品保持棒と、内蔵部品保持棒がスライド可能な孔を有し内蔵部品気密ガイド筒の下端を塞ぐ内蔵部品下ガイド板を有し、内蔵部品気密ガイド筒は、上部にパリソンの下端が当接し、パリソン挟持装置によりパリソンの下端を保持するパリソン保持部を有し、パリソン保持部と内蔵部品下ガイド板が取付けられる部分との間の内蔵部品気密ガイド筒に上下方向に伸縮可能な蛇腹部が形成され、
ブロー成形金型が開いたときに、パリソンの下端に内蔵部品気密ガイド筒の上端を挿入した後に、内蔵部品気密ガイド筒のパリソン保持部と、パリソン外側挟持板でパリソンの下端を挟持し、パリソン外側挟持板でパリソンを気密に保持し、パリソンを膨らませてプリブローするように構成し、
パリソンをプリブローした後に、内蔵部品気密ガイド筒の蛇腹部を圧縮するとともに、内蔵部品保持棒をスライドさせて、内蔵部品気密ガイド筒内から内蔵部品をパリソン内に位置させて、キャビティーに対向する位置に内蔵部品を保持し、ブロー成形金型が閉じたときに、パリソンの内部に内蔵部品が位置し、パリソンと内蔵部品がスライドコアで挟持された後に、内蔵部品保持棒がブロー成形金型から抜け出るように進退自在に構成し、ブロー成形金型が完全に閉じてパリソンの上部と下部がブロー成形金型の上端と下端で挟持され、ブローするように構成されたブロー成形装置である。
【００１２】
請求項１の本発明では、ブロー成形装置は、パリソンを押出するダイコアと、ブロー成形品の外壁を成形するブロー成形金型と、パリソンの下端を挟持するパリソン挟持装置と、ブロー成形前に内蔵部品を保持する内蔵部品保持装置を有している。このため、ダイコアで押出されたパリソンをブロー成形前にパリソンの下端を保持して、パリソンの下端を広げて、パリソン内に内蔵部品を挿入して、内部に内蔵部品を有するブロー成形品を得ることができる。
【００１３】
ブロー成形金型は、パーティングラインで２つに分割して形成された型を有し、開閉面にブロー成形品を形成するキャビティーが形成され、キャビティーの内面に進退自在にスライドコアを設け、スライドコアで内蔵部品とパリソンを挟持してキャビティーでブロー成形品の外壁を成形する。このため、パリソン内に内蔵部品をスライドコアで保持して、キャビティー内で内蔵部品を所定の位置に有するブロー成形品を成形することができる。
【００１４】
ブロー成形金型の下方にパリソンの下端を挟持するパリソン挟持装置が設けられている。このため、パリソンの下端を開いて、内蔵部品気密ガイド筒をパリソンの下端に挿入することができ、プリブローを行い、パリソンを膨らませて内蔵部品をパリソン内に挿入するときに、パリソンの内壁に内蔵部品が接触することを防止できる。
【００１５】
内蔵部品保持装置は、内蔵部品を内部に保持可能な筒状の内蔵部品気密ガイド筒と、内蔵部品気密ガイド筒内部に内蔵部品を保持して上下方向にスライド可能な内蔵部品保持棒と、内蔵部品保持棒がスライド可能な孔を有し内蔵部品気密ガイド筒の下端を塞ぐ内蔵部品下ガイド板を有する。このため、内蔵部品下ガイド板は、内蔵部品を昇降自在に内部に保持するとともに、内蔵部品気密ガイド筒を気密にすることができる。
また、内蔵部品は内蔵部品気密ガイド筒の内部に保持できればよく、幅広いサイズの内蔵部品を使用することが可能である。さらに、内蔵部品の挿入前待機位置を内蔵部品気密ガイド筒にすることにより内蔵部品の寸法変更が容易である。
【００１６】
内蔵部品気密ガイド筒は、上部にパリソンの下端が当接し、パリソン挟持装置によりパリソンの下端を保持するパリソン保持部を有し、パリソン保持部と内蔵部品下ガイド板が取付けられる部分との間の内蔵部品気密ガイド筒に上下方向に伸縮可能な蛇腹部が形成される。このため、内蔵部品をパリソン内に挿入するときに、内蔵部品保持棒のスライドとともに蛇腹部が収縮するため、内蔵部品保持棒のスライド幅を小さくして、内蔵部品保持棒のスライドのために必要なスペースを小さくして、内蔵部品保持装置付近に特別なピットを設ける必要がない。
【００１７】
パリソンの下端に内蔵部品気密ガイド筒の上端を挿入した後に、内蔵部品気密ガイド筒のパリソン保持部と、パリソン外側挟持板でパリソンの下端を挟持し、ダイコアとパリソン外側挟持板でパリソンを気密に保持し、パリソンを膨らませて、プリブローするように構成する。パリソンの外径が膨らむため、内蔵部品を挿入するときに、内蔵部品がパリソンの内壁に接触することなく、内蔵部品保持棒によりキャビティーの所定の位置に内蔵部品を位置させることができる。なお、パリソンの上端は、ダイコア又は上部ピンチ板により気密に保持することができる。
【００１８】
パリソンをプリブローした後に、内蔵部品気密ガイド筒の蛇腹部を圧縮するとともに、内蔵部品保持棒をスライドさせて、内蔵部品気密ガイド筒内から内蔵部品をパリソン内に位置させて、キャビティーに対向する位置に内蔵部品を保持する。内蔵部品気密ガイド筒の蛇腹部を圧縮するため、内蔵部品保持棒のスライド幅を小さくすることができる。さらに、パリソンの外径が膨らむため、内蔵部品を挿入するときに、内蔵部品がパリソンの内壁に接触することなく、内蔵部品保持棒によりキャビティーの所定の位置に内蔵部品を位置させることができる。
【００１９】
ブロー成形金型が閉じたときに、パリソンの内部に上記内蔵部品が位置し、パリソンと内蔵部品がスライドコアで挟持された後に、内蔵部品保持棒がブロー成形金型から抜け出るように進退自在に構成し、ブロー成形金型が完全に閉じてパリソンの上部と下部がブロー成形金型の上端と下端で挟持され、ブローするように構成された。このため、パリソンの上部と下部をブロー成形金型で閉じて、内蔵部品をキャビティー内の所定の位置に保持したままブロー成形をすることができ、内蔵部品が所定の位置に配置されたブロー成形品を得ることができる。
【００２０】
請求項２の本発明は、内蔵部品気密ガイド筒の蛇腹部を圧縮して、キャビティーに対向する位置に内蔵部品を保持するときに、内蔵部品気密ガイド筒内の空気をパリソン内に送り、パリソンをさらに膨らませるブロー成形装置である。
【００２１】
請求項２の本発明では、内蔵部品気密ガイド筒の蛇腹部を圧縮して、キャビティーに対向する位置に内蔵部品を保持するときに、内蔵部品気密ガイド筒内の空気をパリソン内に送り、パリソンをさらに膨らませる。このため、内蔵部品がパリソンと接触することなくより確実にパリソン内に挿入することができる。
【００２２】
請求項３の本発明は、内部に内蔵部品が取付けられるブロー成形品を成形するブロー成形方法において、
ブロー成形方法は、パリソンを押出するダイコアと、ブロー成形品の外壁を成形するブロー成形金型と、パリソンの下端を挟持するパリソン挟持装置と、ブロー成形前に内蔵部品を保持する内蔵部品保持装置を使用し、
ブロー成形金型は、パーティングラインで２つに分割して形成された型を有し、開閉面にブロー成形品を形成するキャビティーが形成され、キャビティーの内面に進退自在にスライドコアを設け、
内蔵部品保持装置は、内蔵部品を内部に保持可能な筒状の内蔵部品気密ガイド筒と、内蔵部品気密ガイド筒内部に内蔵部品を保持して上下方向にスライド可能な内蔵部品保持棒と、内蔵部品保持棒がスライド可能な孔を有し内蔵部品気密ガイド筒の下端を塞ぐ内蔵部品下ガイド板を有し、
内蔵部品気密ガイド筒は、上部にパリソンの下端が当接し、パリソン挟持装置によりパリソンの下端を保持するパリソン保持部を有し、パリソン保持部と内蔵部品下ガイド板が取付けられる部分との間の内蔵部品気密ガイド筒に上下方向に伸縮可能な蛇腹部が形成され、
ブロー成形金型をパーティングラインで開き、キャビティーが開かれた部分にダイコアからパリソンを垂下し、パリソンの下端に内蔵部品気密ガイド筒の上端を挿入し、内蔵部品気密ガイド筒のパリソン保持部と、パリソン挟持装置でパリソンの下端を挟持し、パリソン内に気体を挿入してパリソンを膨らませてプリブローを行った後に、内蔵部品気密ガイド筒の蛇腹部を圧縮するとともに、内蔵部品保持棒をスライドさせて、内蔵部品気密ガイド筒内から内蔵部品をパリソン内に位置させてキャビティーに対向する位置に内蔵部品を保持した後に、ブロー成形金型が閉じて、パリソンと内蔵部品がスライドコアで挟持された後に、内蔵部品保持棒がブロー成形金型から抜け出て、ブロー成形金型を完全に閉じて、パリソンの上部と下部をブロー成形金型の上端と下端で挟持された後に、パリソン内に気体を吹き込み、ブロー成形品を成形するブロー成形方法である。
【００２３】
請求項３の本発明では、ブロー成形方法は、パリソンを押出するダイコアと、ブロー成形品の外壁を成形するブロー成形金型と、パリソンの下端を挟持するパリソン挟持装置と、ブロー成形前に内蔵部品を保持する内蔵部品保持装置を使用する。このため、ダイコアで押出されたパリソンをブロー成形前にパリソンの下端を保持して、ブロー成形前にパリソンの下端を保持して、パリソンの下端を広げることができる。
【００２４】
ブロー成形金型は、パーティングラインで２つに分割して形成された型を有し、開閉面にブロー成形品を形成するキャビティーが形成され、キャビティーの内面に進退自在にスライドコアを設けた。このため、パリソン内に内蔵部品をスライドコアで保持して、キャビティー内で内蔵部品を所定の位置に有するブロー成形品を成形することができる。
【００２５】
内蔵部品保持装置は、内蔵部品を内部に保持可能な筒状の内蔵部品気密ガイド筒と、内蔵部品気密ガイド筒内部に内蔵部品を保持して上下方向にスライド可能な内蔵部品保持棒と、内蔵部品保持棒がスライド可能な孔を有し内蔵部品気密ガイド筒の下端を塞ぐ内蔵部品下ガイド板を有する。このため。内蔵部品気密ガイド筒は、内蔵部品を昇降自在に内部に保持するとともに、内蔵部品気密ガイド筒を気密にすることができる。
また、内蔵部品は内蔵部品気密ガイド筒の内部に保持できればよく、幅広いサイズの内蔵部品を使用することが可能である。さらに、内蔵部品の挿入前待機位置を内蔵部品気密ガイド筒にすることにより内蔵部品の仕様変更が容易である。
【００２６】
内蔵部品気密ガイド筒は、上部にパリソンの下端が当接し、パリソン挟持装置によりパリソンの下端を保持するパリソン保持部を有し、パリソン保持部と内蔵部品下ガイド板が取付けられる部分との間の内蔵部品気密ガイド筒に上下方向に伸縮可能な蛇腹部が形成される。このため、内蔵部品をパリソン内に挿入するときに、内蔵部品保持棒のスライドとともに蛇腹部が収縮するため、内蔵部品保持棒のスライド幅を小さくして、内蔵部品保持棒のスライドのために必要なスペースを小さくして、内蔵部品保持装置付近に特別なピットを設ける必要がない。
【００２７】
ブロー成形金型をパーティングラインで開き、キャビティーが開かれた部分にダイコアからパリソンを垂下し、パリソンの下端に内蔵部品気密ガイド筒のパリソン保持部を挿入する。このため、パリソンの下端を保持することができ、内蔵部品を挿入するときにパリソンが凹むことがなく、内蔵部品がパリソンと接触することがない。
【００２８】
内蔵部品気密ガイド筒のパリソン保持部と、パリソン挟持装置でパリソンの下端を挟持し、パリソン内に気体を挿入してパリソンを膨らませてプリブローを行った後に、内蔵部品気密ガイド筒の蛇腹部を圧縮するとともに、内蔵部品保持棒をスライドさせて、内蔵部品気密ガイド筒内から内蔵部品をパリソン内に位置させてキャビティーに対向する位置に内蔵部品を保持する。これにより、パリソンの外径が膨らむため、内蔵部品を挿入するときに、内蔵部品がパリソンの内壁に接触することなく、内蔵部品保持棒によりキャビティーの所定の位置に内蔵部品を位置させることができる。
【００２９】
キャビティーに対向する位置に内蔵部品を保持し、ブロー成形金型が閉じたときに、パリソンの内部に内蔵部品が位置し、パリソンと内蔵部品がスライドコアで挟持された後に、内蔵部品保持棒がブロー成形金型から抜け出て、ブロー成形金型を完全に閉じて、パリソンの上部と下部をブロー成形金型の上端と下端で挟持された後に、パリソンの上部と下部をブロー成形金型で閉じて、パリソン内に気体を吹き込み、ブロー成形品を成形する。このため、パリソン内で内蔵部品がずれることなく、内蔵部品が所定の位置に配置されたブロー成形品を得ることができる。その後、ブロー成形品は、ブロー成形金型を開いてキャビティーから取り出すことができる
【００３０】
請求項４の本発明は、内蔵部品気密ガイド筒の蛇腹部を圧縮して、キャビティーに対向する位置に内蔵部品を保持するときに、内蔵部品気密ガイド筒内の空気をパリソン内に送り、パリソンをさらに膨らませるブロー成形方法である。
【００３１】
請求項４の本発明では、内蔵部品気密ガイド筒の蛇腹部を圧縮して、キャビティーに対向する位置に内蔵部品を保持するときに、内蔵部品気密ガイド筒内の空気をパリソン内に送り、パリソンをさらに膨らませる。このため、内蔵部品がパリソンを接触することなくより確実にパリソン内に挿入することができる。
【発明の効果】
【００３２】
本発明は、パリソンをプリブローした後に、内蔵部品気密ガイド筒の蛇腹部を圧縮するとともに、内蔵部品保持棒をスライドさせて、キャビティーに対向する位置に内蔵部品を保持する。内蔵部品気密ガイド筒の蛇腹部を圧縮するため、内蔵部品保持棒のスライド幅を小さくすることができ、内蔵部品と内蔵部品保持棒を収納するスペースを節減することができる。さらに、パリソンの外径が膨らむため、内蔵部品を挿入するときに、内蔵部品がパリソンの内壁に接触することなく、内蔵部品保持棒によりキャビティーの所定の位置に内蔵部品を位置させることができる。
【図面の簡単な説明】
【００３３】
【図１】本発明の実施の形態である燃料タンク斜視図である。
【図２】本発明の実施の形態のパリソン挟持装置及び内蔵部品保持装置の上面図である。
【図３】本発明の実施の形態のブロー成形装置がブロー成形品を製造する工程の断面図であり、パリソンがブロー成形金型内に入った状態を示す断面図である。
【図４】本発明の実施の形態のブロー成形装置がブロー成形品を製造する工程の断面図であり、パリソンの下端をパリソンエキスパンダで開いた状態を示す断面図である。
【図５】本発明の実施の形態のブロー成形装置がブロー成形品を製造する工程の断面図であり、パリソンの下端をパリソン外側挟持板と内蔵部品気密ガイド筒のパリソン保持部で挟持した状態を示す断面図である。
【図６】本発明の実施の形態のブロー成形装置がブロー成形品を製造する工程の断面図であり、パリソンの下端をパリソン外側挟持板と内蔵部品気密ガイド筒の上端で挟持してプリブローを行った状態を示す断面図である。
【図７】本発明の実施の形態のブロー成形装置がブロー成形品を製造する工程の断面図であり、パリソンの下端から内蔵部品をパリソン内に挿入した状態を示す断面図である。
【図８】本発明の実施の形態のブロー成形装置がブロー成形品を製造する工程の断面図であり、パリソン内の内蔵部品をスライドコアで挟持した状態を示す断面図である。
【図９】本発明の実施の形態のブロー成形装置がブロー成形品を製造する工程の断面図であり、パリソン内の内蔵部品をスライドコアで挟持して、内蔵部品保持棒をブロー成形金型から抜いた状態を示す断面図である。
【図１０】本発明の実施の形態のブロー成形装置がブロー成形品を製造する工程の断面図であり、パリソン内の内蔵部品をスライドコアで挟持して、ブロー成形金型を閉じてブロー成形した状態を示す断面図である。
【図１１】従来のブロー成形装置のスライドコアと駆動制御ピンがブロー成形品を製造する装置の斜視図である。
【図１２】従来の他のブロー成形装置のブロー成形品を製造する工程の断面図であり、パリソンがブロー成形金型内に入った状態を示す断面図である。
【図１３】従来の他のブロー成形装置がブロー成形品を製造する工程の断面図であり、パリソンの下端をパリソン外側挟持板と内蔵部品気密ガイド筒の上端で挟持してプリブローを行った状態を示す断面図である。
【図１４】従来の他のブロー成形装置がブロー成形品を製造する工程の断面図であり、パリソン内へ内蔵部品をスライドコアで挿入した状態を示す断面図である。
【発明を実施するための形態】
【００３４】
本発明の実施の形態のブロー成形装置について、ブロー成形品である自動車用の燃料タンク１を製造するブロー成形装置を例にとり、図１〜図１０に基づき説明する。本発明は、内蔵部品１０を有する燃料タンク１を例にとり説明するが、内蔵部品１０を有する他のブロー成形品についても使用することができる。
【００３５】
図１は、本発明の実施の形態のブロー成形装置により製造された燃料タンク１の斜視図である。
本発明の実施の形態において、ブロー成形装置で製造される燃料タンク１は、図１に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。
【００３６】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。
さらに、燃料タンク１の上面には、内部の燃料蒸気を回収するホース等を接続する各所の取付孔６が形成されている。
【００３７】
本実施の形態において製造される燃料タンク１は、後述するブロー成形の製造装置で製造されるが、燃料タンク１の外壁は、ブロー成形で形成され、その外壁は、１層又は多層で形成され、多層の場合は、例えば、外側から順に表皮層、外部本体層、外部接着剤層、バリヤ層、内部接着剤層及び内部本体層から形成されている。
【００３８】
燃料タンク１の内部には、例えば、燃料タンク１の補強のための柱や、燃料の波うちを防止して、波うち音の発生を防止することができるための仕切り板や、燃料ポンプ、キャニスター等を取付ける箱状物等が内蔵部品１０として取付けられている。
内蔵部品１０は、ポリアセタール、高密度ポリエチレン（ＨＤＰＥ）等の耐燃料油性の熱可塑性合成樹脂で形成することができる。これにより燃料タンク１の強度を向上させることができるとともに、燃料タンク１の内部に取付けられても、燃料油による膨潤等で剛性が低下することがない。
【００３９】
本発明の実施の形態であるブロー成形装置と、その装置を使用したブロー成形による燃料タンク１の製造方法を、図２〜図１０に基づき説明する。ブロー成形装置は、パリソン８を押出するダイコア６０と、ブロー成形品を成形するブロー成形金型２０と、パリソン８の下端を挟持するパリソン挟持装置３０と、内蔵部品１０を内蔵部品気密ガイド筒４２内に保持するとともに、ブロー成形金型２０内にあるパリソン８内に挿入する内蔵部品保持装置４０とから構成されている。
【００４０】
ダイコア６０は、パリソン８を押出して、ブロー成形金型２０を開いたときに、その内部にパリソン８を位置させるとともに、パリソン８の上端を保持して、後述するプリブロー時の、パリソン８内からの気体の流出を防止する。なお、パリソン８の上端は、上部ピンチ板を用いて気密にすることができる。
【００４１】
まず、図２〜図１０に基づきパリソン挟持装置３０の説明をする。
ブロー成形金型２０の下方にパリソン８の下端を挟持するパリソン挟持装置３０が設けられ、パリソン挟持装置３０は、ブロー成形金型２０の下部から出たパリソン８の下端の内部に挿入されるパリソンエキスパンダ３１と、パリソンの下端の外面を挟持するパリソン外側挟持板３２を有する。
【００４２】
パリソンエキスパンダ３１は、パリソン８の下端を拡張できるように複数個取付けられている。本実施の形態では後述する内蔵部品気密ガイド筒４２の４隅に対応するように４個取付けられている。パリソンエキスパンダ３１は、内蔵部品気密ガイド筒４２に当接したときは、内蔵部品気密ガイド筒４２に形成された内蔵部品気密ガイド筒凹部４５に収容されて、内蔵部品気密ガイド筒４２と一体になって、内蔵部品気密ガイド筒４２の外面と均一な外面を形成し、パリソン８の内面を気密にして挟持することができる。
【００４３】
パリソンエキスパンダ３１は、パリソンシリンダ３３により中心から外方向（パリソンに対して直角方向）移動可能に取付けられている。そして、パリソンエキスパンダ３１は、パリソン８の下端の内面に当接して、パリソンシリンダ３３の後退により、パリソン８の内径を大きくすることができる。
【００４４】
パリソンエキスパンダ３１によりパリソン８の下端が潰れないように、膨らんだままにすることができ、パリソン８の内部に内蔵部品気密ガイド筒４２の上端を挿入するときに、パリソン８の内面を広げて、パリソン８の下端の内面を内蔵部品気密ガイド筒４２の上端の外面に当接させることができる。
図２に示すように、パリソンエキスパンダ３１の先端には、パリソン８内に空気等の気体を噴き出すことができるように、プリブロー吹き出し口３４が形成されている。
【００４５】
パリソン外側挟持板３２は、内蔵部品気密ガイド筒４２とパリソンエキスパンダ３１の外周の形状に対応した凹部３２ｂが形成されている。これにより、パリソンエキスパンダ３１及び後述する内蔵部品気密ガイド筒４２とパリソン外側挟持板３２でパリソン８の下端を挟持することができる。また、パリソン外側挟持板３２は、複数個に分割されて形成され、それぞれパリソン８の下端を挟持するようにスライド可能に形成されている。本実施の形態では、２つに分割して形成されているが、３つ以上に分割して生成してもよい。
【００４６】
パリソン外側挟持板３２は、内蔵部品気密ガイド筒４２の方向（パリソン８の中心方向）にスライドすると、パリソン８の下端の外周を押圧し、内蔵部品気密ガイド筒４２のパリソン保持部４６及びパリソンエキスパンダ３１とパリソン外側挟持板３２とでパリソン８を確実に挟持して、気体の漏れを防止して、パリソン８の下端が潰れるのを防止することができる。また、パリソン８内の容積を大きく維持することができ、パリソン８内に充分な気体を密閉することができるため、パリソン８を金型に密着させるためのブローの前において、パリソン８を若干膨らませるためのプリブローを行うことができる。
【００４７】
次に、図４〜図１０に基づいて、内蔵部品保持装置４０について説明する。内蔵部品保持装置４０は、筒状の内蔵部品気密ガイド筒４２と、内蔵部品気密ガイド筒４２の内部に内蔵部品１０を保持してパリソン８内に内蔵部品１０を挿入可能に上下方向に移動な内蔵部品保持棒４１と、内蔵部品気密ガイド筒４２の下部を塞ぐことができる内蔵部品下ガイド板４３から構成される。
【００４８】
内蔵部品気密ガイド筒４２は、中空の筒状に形成され、中空内部に内蔵部品１０を収納して、上下方向に移動可能に保持している。内蔵部品気密ガイド筒４２の断面形状は、内蔵部品１０が収納できるように、円形、楕円形又は多角形のいずれの形状にもすることができる。
【００４９】
内蔵部品気密ガイド筒４２は、上部にパリソン８の下端が当接し、パリソン挟持装置３０のパリソン外側挟持板３２によりパリソンの下端を保持するパリソン保持部４６を有し、パリソン保持部４６と内蔵部品下ガイド板４３が取付けられる部分との間の内蔵部品気密ガイド筒４２に上下方向に伸縮可能な蛇腹部４４が形成されている。
【００５０】
このため、内蔵部品１０を内蔵部品保持棒４１に取付けて、内蔵部品保持棒４１をスライドさせてパリソン８内に挿入するときに、内蔵部品気密ガイド筒４２の蛇腹部４４も収縮することができ、内蔵部品保持棒４１のスライド距離を短くすることができる。したがって、内蔵部品保持棒４１のスライドのために必要なスペースを小さくして、内蔵部品保持装置４０下方に内蔵部品保持棒４１を収納するための特別なピットを設ける必要がない。
【００５１】
内蔵部品保持棒４１は、内蔵部品１０を昇降自在に内部に保持するとともに、パリソン８の下端を内蔵部品気密ガイド筒４２のパリソン保持部４６に挟持したときに、内蔵部品気密ガイド筒４２を気密にすることができる。
また、内蔵部品１０は内蔵部品気密ガイド筒４２の内部に保持できればよく、幅広いサイズの内蔵部品１０を使用することが可能である。さらに、内蔵部品１０の挿入前待機位置を内蔵部品気密ガイド筒４２にすることにより内蔵部品１０の仕様変更が容易である。
内蔵部品気密ガイド筒４２の上端部には、上記のようにパリソンエキスパンダ３１を収納可能な内蔵部品気密ガイド筒凹部４５が形成されている。
【００５２】
次に、図３に基づきブロー成形金型２０の説明をする。
ブロー成形金型２０は、パーティングラインで２つに分割して形成され、ブロー成形金型移動装置（図示せず）で左右に開くことが可能なようにスライドされる。ブロー成形金型２０は、内部に燃料タンク１を形成するキャビティー２２が形成されている。更に、左右のブロー成形金型２０のキャビティー２２に対応する部分にはそれぞれスライド可能なスライドコア２６が設けられている。
【００５３】
スライドコア２６は、ブロー成形金型２０が閉じて、スライドコア２６が後退したときにキャビティー２２の内面の一部を形成し、ブロー成形金型２０が開いて、キャビティー２２内に進出したときに後述する内蔵部品１０とパリソン８を保持する。パリソン８は、ブロー成形金型２０の上部に設けられたダイコア６０から下方に押し出される。
パーティングラインで２つに分割して形成されたブロー成形金型２０は、型締め時に、キャビティー２２の周囲で互いに当接する。図１０においては、ブロー成形金型２０の金型上部２３の上部当接面２３ａと、金型下部２４の下部当接面２４ａで当接している。
【００５４】
次に、本発明の実施の形態のブロー成形装置を使用したブロー成形品である自動車用の燃料タンク１の製造方法を、図３〜図１０に基づき説明する。
ブロー成形金型２０の上部には、ダイコア６０が設けられている。ブロー成形金型２０の下部には、図４〜図１０に示すように、パリソン挟持装置３０が取付けられている。
図３に示すように、ブロー成形は、まず始めに、ブロー成形金型２０が開いて、キャビティー２２を構成する空間が開いて、その中にダイコア６０からパリソン８が押出される。そして、パリソン８の下端がブロー成形金型２０の金型下部２４よりも下まで到達する。
【００５５】
次に、図４に示すように、複数のパリソンエキスパンダ３１がパリソン８の下端の内面入り、当接する。そして、パリソンエキスパンダ３１が図４の矢印に示すようにパリソン８の中心から離れる方向に開いて、パリソン８の下端を広げる。
その時、内蔵部品１０を内部に保持した内蔵部品保持装置４０がパリソン８の下端の下方に位置する。
【００５６】
次に、図５に示すように、パリソン８の上端は、ダイコア６０に保持されてパリソン８の上部は、気密状態で保持される。
そして、内蔵部品気密ガイド筒４２の上端がパリソン８の下端の内部に挿入される。そして、パリソンエキスパンダ３１が内蔵部品気密ガイド筒４２のパリソン保持部４６に当接して、内蔵部品気密ガイド筒凹部４５内に収納される。パリソン８の下端の外面は、パリソン外側挟持板３２により押さえられて、内蔵部品気密ガイド筒４２の方向へ移動する。そして、パリソン８の下端は、パリソン外側挟持板３２と内蔵部品気密ガイド筒４２により挟持される。このとき、パリソンエキスパンダ３１は、内蔵部品気密ガイド筒４２と一体になり、パリソン８の下端の内面を挟持している。そして、内蔵部品気密ガイド筒４２の下端は、内蔵部品下ガイド板４３により閉じられて、パリソン８の下端は気密になる。
【００５７】
次に、図６に示すように、プリブローを行う。プリブローは、パリソンエキスパンダ３１の先端から気体をパリソン８内に吹き込むことによりパリソン８を膨らませることで行うことができる。図２に示すように、パリソンエキスパンダ３１の先端にはプリブロー吹き出し口３４が形成されている。このプリブロー吹き出し口３４からパリソン８内に気体を吹き込むことができる。パリソン８内に吹き込む気体は、本実施の形態では空気を使用している。
【００５８】
このとき、パリソン８の上部では、上述のとおり、ダイコア６０でパリソン８を塞いでいる。パリソン８の下部では、上述のとおり内蔵部品気密ガイド筒４２、パリソンエキスパンダ３１及び内蔵部品気密ガイド筒４２でパリソン８を塞いで、空気の逃げを防止している。また、内蔵部品気密ガイド筒４２の下部では、内蔵部品下ガイド板４３が塞いで空気の逃げを防止している。
なお、図２に示すように、パリソンエキスパンダ３１は、パリソンシリンダ３３によりスライドされている。
【００５９】
次に、図７に示すように、プリブローにより膨らませたパリソン８内に、内蔵部品気密ガイド筒４２から内蔵部品１０を保持した内蔵部品保持棒４１を上方にスライドさせて、ブロー成形金型２０のキャビティー２２の位置に内蔵部品１０を位置させる。このとき、パリソン８はプリブローで膨らんでいるため、内蔵部品１０がパリソン８の内壁と接触することがない。
【００６０】
さらに、内蔵部品１０を内蔵部品保持棒４１をスライドさせて、ブロー成形金型２０のキャビティー２２に対向する位置に内蔵部品１０を保持するときに、内蔵部品気密ガイド筒４２の蛇腹部４４を圧縮して、内蔵部品気密ガイド筒４２内の空気をパリソン８内に送り２回目のプリブローをすることができる。このため、パリソン８をさらに膨らませることができる。この２段階のプリブローによりパリソン８を膨張させて、さらに内蔵部品１０がパリソン８と接触することなく、より確実にパリソン８内に挿入することができる。
【００６１】
そして、図８に示すように、ブロー成形金型２０を若干閉じるとともに、ブロー成形金型２０に設けられた複数のスライドコア２６をスライドさせる。このとき、複数のスライドコア２６は、内蔵部品１０と対応する位置に設けられているので、パリソン８を内蔵部品１０とスライドコア２６で挟むように押圧することができる。
このとき、内蔵部品下ガイド板４３は、内蔵部品気密ガイド筒４２の上端に位置して、パリソン８内の空気が逃げないようにすることができる。
【００６２】
そうすると、パリソン８の内面はまだ溶融状態にあるため、内蔵部品１０の先端とパリソン８が融着することができる。このとき、内蔵部品１０は、内蔵部品保持棒４１およびスライドコア２６により保持されているので、内蔵部品１０は、燃料タンク１の外壁の内面の所定の位置に確実に取付けられることができる。
【００６３】
その後、図９に示すように、内蔵部品１０をスライドコア２６により保持したままで、内蔵部品保持棒４１を下降させて、ブロー成形金型２０から抜く。スライドコア２６で内蔵部品１０を保持しているため、内蔵部品１０を所定の位置に維持することができる。このとき、パリソン挟持装置３０のパリソン外側挟持板３２でパリソン８の下端を保持してシールし、内蔵部品気密ガイド筒４２の下端に内蔵部品下ガイド板４３が位置してシールされているため、パリソン８内から空気が漏れることはない。
【００６４】
さらに、図１０に示すように、ブロー成形金型２０をさらに閉じて、ブロー成形金型２０を完全に閉じる。これによりパリソン８の上部と下部は、ブロー成形金型２０により完全に閉じられることができる。
パリソン８は、パーティングラインで２つに分割して形成されたブロー成形金型２０のそれぞれの金型上部２３の上部当接面２３ａと金型下部２４の下部当接面２４ａが当接して、パリソン８の上部と下部を閉じることができる。あるいは、ブロー成形金型２０とパリソン挟持装置３０との間に、従来技術で示すようなピンチ板を設けてパリソン８の上部又は下部を閉じてもよい。
【００６５】
そして、ブロー成形金型２０の上下に設けたスライドカッター（図示せず）でパリソン８の上下を切断する。そして、エアノズル２７からパリソン８の内部に空気を吹き込み、パリソン８の外面をブロー成形金型２０のキャビティー２２の内面に押圧して、燃料タンク１の形状を形成する。
【００６６】
このとき、スライドコア２６の先端面とブロー成形金型２０のキャビティー２２の内面とは同一平面になることができる。そして、さらにエアノズル２７からパリソン８の内部に空気を吹き込み、パリソン８の外面をブロー成形金型２０に完全に押圧して、燃料タンク１の形状を完全に形成する。そして、パリソン８の内部に空気を循環させてブロー成形を完了する。その後、ブロー成形金型２０を開き、燃料タンク１を取出す。
【符号の説明】
【００６７】
１  燃料タンク
８  パリソン
１０  内蔵部品
２０  ブロー成形金型
２２  キャビティー
２６  スライドコア
３０  パリソン挟持装置
３１  パリソンエキスパンダ
３２  パリソン外側挟持板
４０  内蔵部品保持装置
４１  内蔵部品保持棒
４２  内蔵部品気密ガイド筒
４３  内蔵部品下ガイド板
４４  蛇腹部
６０  ダイコア
【図１】
2015047863.tif 000003
【図２】
2015047863.tif 000004
【図３】
2015047863.tif 000005
【図４】
2015047863.tif 000006
【図５】
2015047863.tif 000007
【図６】
2015047863.tif 000008
【図７】
2015047863.tif 000009
【図８】
2015047863.tif 000010
【図９】
2015047863.tif 000011
【図１０】
2015047863.tif 000012
【図１１】
2015047863.tif 000013
【図１２】
2015047863.tif 000014
【図１３】
2015047863.tif 000015
【図１４】
2015047863.tif 000016